(57)【要約】【課題】  外部からの機械的な振動に強い騒音計用プリアンプ装置及びそれを用いた騒音計を提供する。【解決手段】  コネクタ１０に螺合するケース１７と、このケース１７の先端に装着するマイクロホン３と電気的に接続するピンプローブ１４と、このピンプローブ１４の周囲に絶縁リング１３を介して配置されるガード部材１２と、このガード部材１２とケース１７の間に配置される絶縁部材１６と、マイクロホン３の出力信号を処理する電気回路を備える騒音計用プリアンプ装置であって、電気回路はパターン間に空隙２０を形成すると共にコネクタ１０に立設するプリント基板１１に実装され、このプリント基板１１の先端部に固着されたガード部材１２のフランジ１２ａと絶縁部材１６の間に弾性体のワッシャ１５を配設し、ケース１７の先端近傍の内周面１７ａに形成した段部２３が絶縁部材１６の外周面１６ａに形成したテーパ面２２に当接するようにした。【選択図】        図３
2008026242.tif 000002
【特許請求の範囲】
【請求項１】
コネクタに固定するケースと、このケースの先端に装着するマイクロホンと電気的に接続するピンプローブと、このピンプローブの周囲に絶縁リングを介して配置されるガード部材と、このガード部材と前記ケースの間に配置される絶縁部材と、前記マイクロホンの出力信号を処理する電気回路を備える騒音計用プリアンプ装置であって、前記電気回路は前記コネクタに立設するプリント基板に実装され、このプリント基板の先端部に固着された前記ガード部材のフランジと前記絶縁部材の間に弾性体のワッシャを配設し、前記ケースの先端近傍の内周面に形成した段部が前記絶縁部材の外周面に形成したテーパ面に当接することを特徴とする騒音計用プリアンプ装置。
【請求項２】
請求項１記載の騒音計用プリアンプ装置を用いたことを特徴とする騒音計。
【発明の詳細な説明】
【技術分野】
【０００１】
本発明は、マイクロホンの出力信号を処理する騒音計用プリアンプ装置及びそれを用いた騒音計に関する。
【背景技術】
【０００２】
従来の騒音計用プリアンプ装置としては、配線間のインピーダンスを高めるために、演算増幅器、抵抗やコンデンサなどの電気回路を構成する部品を空中配線で電気的に接続しているものが知られている。
【発明の開示】
【発明が解決しようとする課題】
【０００３】
しかし、従来の騒音計用プリアンプ装置においては、電気回路を構成する部品が空中配線されているため、外部から機械的な振動を受けると、部品が振動して振動の影響でノイズを発生するという問題があった。特に、ハンディタイプの騒音計では、手振れなどによる振動が騒音として記録されてしまうという問題があった。
【０００４】
本発明は、従来の技術が有するこのような問題点に鑑みてなされたものであり、その目的とするところは、外部からの機械的な振動に強い騒音計用プリアンプ装置及びそれを用いた騒音計を提供しようとするものである。
【課題を解決するための手段】
【０００５】
上記課題を解決すべく請求項１に係る発明は、コネクタに固定するケースと、このケースの先端に装着するマイクロホンと電気的に接続するピンプローブと、このピンプローブの周囲に絶縁リングを介して配置されるガード部材と、このガード部材と前記ケースの間に配置される絶縁部材と、前記マイクロホンの出力信号を処理する電気回路を備える騒音計用プリアンプ装置であって、前記電気回路は前記コネクタに立設するプリント基板に実装され、このプリント基板の先端部に固定された前記ガード部材のフランジと前記絶縁部材の間に弾性体のワッシャを配設し、前記ケースの先端近傍の内周面に形成した段部が前記絶縁部材の外周面に形成したテーパ面に当接するものである。
【０００６】
請求項２に係る発明は、請求項１記載の騒音計用プリアンプ装置を用いたことを特徴とする騒音計である。
【発明の効果】
【０００７】
請求項１に係る発明によれば、電気回路をコネクタに立設するプリント基板に実装し、このプリント基板の先端部に固定されたガード部材を、ケースの先端近傍の内周面に形成した段部を絶縁部材の外周面に形成したテーパ面に当接させることにより押圧するので、プリント基板がコネクタに強固に固定され、外部からの機械振動の影響を受け難くなる。よって、振動の影響によるノイズの発生が低減される。
【０００８】
請求項２に係る発明によれば、外部からの機械振動を騒音として記録することがなくなり、騒音計の信頼性が向上する。
【発明を実施するための最良の形態】
【０００９】
以下に本発明の実施の形態を添付図面に基づいて説明する。ここで、図１は本発明に係る騒音計の概要正面図、図２は本発明に係る騒音計用プリアンプ装置の一部断面の正面図、図３は本発明に係る騒音計用プリアンプ装置の要部拡大断面図である。
【００１０】
本発明に係る騒音計は、図１に示すように、騒音計本体１と、騒音計本体１に取り付けられるプリアンプ装置２と、プリアンプ装置２の先端に装着されるマイクロホン３からなる。騒音計本体１には、演算処理部（不図示）、表示部４、スイッチ類５が設けられている。
【００１１】
プリアンプ装置２は、図２及び図３に示すように、騒音計本体１に接続するためのコネクタ１０と、コネクタ１０に立設するプリント基板１１と、プリント基板１１の先端に接着剤などで固着されたパイプ状のガード部材１２と、ガード部材１２に絶縁リング１３を介して囲まれるピンプローブ１４と、ガード部材１２の外周面に形成した環状のフランジ１２ａに当接する弾性体のワッシャ１５と、ワッシャ１５に当接すると共にガード部材１２に巻装する絶縁部材１６と、絶縁部材１６に巻装すると共にコネクタ１０に螺合するケース１７で構成される。
【００１２】
プリント基板１１は、パターン１９の間に空隙（スリット）２０を形成すると共に、電気回路を構成する部品（演算増幅器や抵抗など）２１を実装している。ピンプローブ１４は、進退動自在であって且つ突出方向に付勢され、マイクロホン３とプリント基板１１の入力端子（不図示）を電気的に接続している。絶縁リング１３には、例えばＰＴＦＥ（商標：テフロン）が用いられ、ワッシャ１５には、例えば弾性体としてのシリコンが用いられる。
【００１３】
絶縁部材１６は、略円筒形状で、外周面１６ａにテーパ面２２を形成している。絶縁部材１６には、例えばポリアセタール・コポリマー（商標：ジュラコン）が用いられる。ケース１７は、略円筒形状で、先端近傍の内周面１７ａに段部２３を形成し、基端近傍の内周面１７ｂに段部２４とコネクタ１０の雄ねじ２５に噛み合う雌ねじ（不図示）を刻設している。２６はプリアンプ装置２を騒音計本体１に固定するためのローレットである。
【００１４】
以上のように構成された本発明に係る騒音計用プリアンプ装置及びそれを用いた騒音計の動作について説明する。ケース１７をコネクタ１０に螺合すると、ケース１７の先端近傍の内周面１７ａに形成した段部２３が、絶縁部材１６の外周面１６ａに形成したテーパ面２２に当接する。更に、絶縁部材１６が弾性体のワッシャ１５を介してガード部材１２をケース１７の進行方向に押圧する。
【００１５】
すると、プリント基板１１は、絶縁部材１６、ワッシャ１５、ガード部材１２を介してケース１７とコネクタ１０により、強固に挟持されて固定される。段部２３とテーパ面２２は、面ではなく線で接触するので、絶縁部材１６とケース１７間でのがたつきが生じ難い。また、プリント基板１１のパターン１９間には空隙（スリット）２０が形成されているので、パターン１９間のインピーダンスを高めることができる。なお、ケース１７の基端近傍の内周面１７ｂに形成された段部２４は、ストッパの役目を果たす。
【００１６】
従って、プリアンプ装置２に機械振動が与えられても、その振動がプリント基板１１に実装された電気回路を構成する部品（演算増幅器や抵抗など）に影響せず、騒音測定に影響を与えるようなノイズを発生することがない。また、プリアンプ装置２を用いた騒音計も、外部からの機械振動を騒音として記録することもない。
【産業上の利用可能性】
【００１７】
本発明によれば、機械振動に強い騒音計用プリアンプ装置を提供できるので、それを用いた騒音計の信頼性や使い勝手などが向上し、特にハンディタイプの騒音計の需要拡大が図れる。
【図面の簡単な説明】
【００１８】
【図１】本発明に係る騒音計の概要正面図
【図２】本発明に係る騒音計用プリアンプ装置の一部断面の正面図
【図３】本発明に係る騒音計用プリアンプ装置の要部拡大断面図
【符号の説明】
【００１９】
１…騒音計本体、２…プリアンプ装置、３…マイクロホン、１０…コネクタ、１１…プリント基板、１２…ガード部材、１２ａ…フランジ、１３…絶縁リング、１４…ピンプローブ、１５…ワッシャ、１６…絶縁部材、１６ａ…外周面、１７…ケース、１７ａ…内周面、２０…空隙、２２…テーパ面、２３…段部。
【図１】
2008026242.tif 000003
【図２】
2008026242.tif 000004
【図３】
2008026242.tif 000005